(57)【要約】【課題】  スキャン機能を有する画像形成装置及び画像形成装置で本をスキャニングする場合，左側ページ及び右側ページの上下が入れ替わらないイメージを得られる画像形成方法を提供する。【解決手段】  スキャン機能を有する画像形成装置と，画像形成装置に接続されたホストコンピュータとにより成り，ホストコンピュータが画像形成装置からスキャニングされたイメージデータを取得して保存する保存段階と，ホストコンピュータの制御部でスキャニングされたイメージが本の左側ページなのか右側ページなのかを判断する判断段階と，スキャニングされたイメージが右側ページである場合，スキャニングされたイメージを１８０゜回転させて保存する回転段階とを含む画像形成方法。【選択図】    図３
2005117666.tif 000002
【特許請求の範囲】
【請求項１】
スキャン機能を有する画像形成装置と前記画像形成装置に接続されたホストコンピュータとにより成る画像形成方法において，
前記画像形成装置からスキャニングされたイメージデータを取得して保存する保存段階と，
前記スキャニングされたイメージが左側ページなのか右側ページなのかを判断する判断段階と，
前記スキャニングされたイメージが右側ページである場合，前記スキャニングされたイメージを回転させて保存する回転段階とを含むことを特徴とする画像形成方法。
【請求項２】
前記ホストコンピュータで書籍スキャンモードの適用可否を設定する段階をさらに含み，
前記書籍スキャンモードを適用する場合は前記回転段階を行い，前記書籍スキャンモードを適用しない場合は前記回転段階を行わないことを特徴とする請求項１に記載の画像形成方法。
【請求項３】
開始ページが左側ページなのか右側ページなのかを設定する段階をさらに含むことを特徴とする，請求項１または２のいずれかに記載の画像形成方法。
【請求項４】
次にスキャニングされるページが左側ページなのか右側ページなのか再設定する段階をさらに含むことを特徴とする，請求項１または２のいずれかに記載の画像形成方法。
【請求項５】
前記ホストコンピュータで一ページのスキャニングを完了した場合，現在スキャニングされたページに基づいて次にスキャニングされるページを左側ページまたは右側ページに自動設定する段階をさらに含むことを特徴とする，請求項１または２のいずれかに記載の画像形成方法。
【請求項６】
スキャン機能を有する画像形成装置と前記画像形成装置に接続されたホストコンピュータとにより成る画像形成方法において，
イメージをスキャニングして保存する保存段階と，
前記スキャニングされたイメージが左側ページなのか右側ページなのかを判断する判断段階と，
前記スキャニングされたイメージが右側ページである場合，前記スキャニングされたイメージを回転させて保存する回転段階とを含むことを特徴とする画像形成方法。
【請求項７】
前記回転段階以後に，前記保存されたイメージデータを前記ホストコンピュータに伝送する段階をさらに含むことを特徴とする，請求項６に記載の画像形成方法。
【請求項８】
書籍スキャンモードの適用可否を設定する段階をさらに含み，
前記書籍スキャンモードを適用する場合は前記回転段階を行い，前記書籍スキャンモードを適用しない場合は前記回転段階を行わないことを特徴とする，請求項６または７のいずれかに記載の画像形成方法。
【請求項９】
開始ページが左側ページなのか右側ページなのかを設定する段階をさらに含むことを特徴とする，請求項６または７のいずれかに記載の画像形成方法。
【請求項１０】
次にスキャニングされるページが左側ページなのか右側ページなのかを再設定する段階をさらに含むことを特徴とする，請求項６または７のいずれかに記載の画像形成方法。
【請求項１１】
前記画像形成装置で一ページのスキャニングを完了した場合，現在スキャニングされたページに基づいて次にスキャニングされるページを左側ページまたは右側ページに自動設定する段階をさらに含むことを特徴とする，請求項６または７のいずれかに記載の画像形成方法。
【請求項１２】
スキャン機能を有する画像形成装置に接続されたホストコンピュータにおいて，
前記画像形成装置からスキャニングされたイメージデータが入力されるスキャナー駆動部と，
前記入力されたスキャニングされたイメージデータを保存するメモリー部と，
前記スキャニングされたイメージが左側ページなのか右側ページなのかを判断し，前記スキャニングされたイメージが右側ページである場合，前記スキャニングされたイメージを回転させて前記メモリー部に保存する制御部とを含むことを特徴とするホストコンピュータ。
【請求項１３】
書籍スキャンモードの適用可否を設定する使用者インターフェース部をさらに含み，
前記書籍スキャンモードを適用する場合，前記制御部は前記右側ページに対して回転させて保存することを特徴とする，請求項１２に記載のホストコンピュータ。
【請求項１４】
前記使用者インターフェースは，開始ページが左側ページなのか右側ページなのかを設定する手段をさらに含むことを特徴とする，請求項１３に記載のホストコンピュータ。
【請求項１５】
前記使用者インターフェースは，次にスキャニングされるページが左側ページなのか右側ページなのか再設定する手段をさらに含むことを特徴とする，請求項１３に記載のホストコンピュータ。
【請求項１６】
前記使用者インターフェースは，次にスキャニングされるページが左側ページなのか右側ページなのかを表示するディスプレイ部をさらに含むことを特徴とする，請求項１３に記載のホストコンピュータ。
【請求項１７】
前記ホストコンピュータで一ページのスキャニングを完了した場合，前記制御部は現在スキャニングされたページに基づいて次にスキャニングされるページを左側ページまたは右側ページに自動設定することを特徴とする，請求項１２または１３のいずれかに記載のホストコンピュータ。
【請求項１８】
ホストコンピュータに接続されたスキャン機能を有する画像形成装置において，
イメージをスキャニングするスキャニング部と，
前記スキャニングされたイメージデータを保存するメモリー部と，
前記スキャニングされたイメージが左側ページなのか右側ページなのかを判断し，前記スキャニングされたイメージが右側ページである場合，前記スキャニングされたイメージを回転させて前記メモリー部に保存する制御部とを含むことを特徴とする，画像形成装置。
【請求項１９】
前記画像形成装置は，前記保存されたイメージデータを前記ホストコンピュータに伝送することを特徴とする，請求項１８に記載の画像形成装置。
【請求項２０】
書籍スキャンモードの適用可否を設定する使用者インターフェース部をさらに含み，
前記書籍スキャンモードを適用する場合，前記制御部は前記右側ページに対して回転させて保存することを特徴とする，請求項１８または１９のいずれかに記載の画像形成装置。
【請求項２１】
前記使用者インターフェース部は，開始ページが左側ページなのか右側ページなのかを設定する手段をさらに含むことを特徴とする，請求項２０に記載の画像形成装置。
【請求項２２】
前記使用者インターフェース部は，次にスキャニングされるページが左側ページなのか右側ページなのか再設定する手段をさらに含むことを特徴とする，請求項２０に記載の画像形成装置。
【請求項２３】
前記使用者インターフェース部は，次にスキャニングされるページが左側ページなのか右側ページなのかを表示するディスプレイ部をさらに含むことを特徴とする，請求項２０に記載の画像形成装置。
【請求項２４】
前記画像形成装置で一ページのスキャニングを完了した場合，前記制御部は現在スキャニングされたページに基づいて次にスキャニングされるページを左側ページまたは右側ページに自動設定することを特徴とする，請求項１８または１９のいずれかに記載の画像形成装置。
【請求項２５】
前記スキャニングされたイメージは，実質的に１８０゜回転されることを特徴とする請求項１に記載の画像形成方法。
【請求項２６】
前記スキャニングされたイメージは，実質的に１８０゜回転されることを特徴とする請求項６に記載の画像形成方法。
【請求項２７】
前記スキャニングされたイメージは，実質的に１８０゜回転されることを特徴とする請求項１２に記載のホストコンピュータ。
【請求項２８】
前記スキャニングされたイメージは，実質的に１８０゜回転されることを特徴とする請求項１８に記載の画像形成装置。
【発明の詳細な説明】
【技術分野】
【０００１】
本発明は，画像形成装置及び画像形成方法に係り，特にスキャン機能を有する画像形成装置及び前記画像形成装置で本をスキャニングする場合，左側ページ及び右側ページの上下が入れ替わらないイメージを得られる画像形成方法に関する。
【背景技術】
【０００２】
図１は，フラットベッド型の画像形成装置１００を図示する。前記画像形成装置１００は，イメージをスキャニングする面１０６，原稿を固定する面１０４及蓋１０２を含む。図２は，図１の画像形成装置１００を利用して本１１０をスキャニングする概略図を示す。
【０００３】
図２に示したように，フラットベッド型のスキャン機能を有する画像形成装置で本をスキャニングする場合，本の左側ページをスキャニングした後で右側ページをスキャニングするためには，本を１８０゜まわしてスキャニングしなければならない。
【０００４】
この時，本の左側ページに対するＰＣスキャニングされたイメージは，コンピュータのモニターに正常に表示されるが，本の右側ページに対するパソコンスキャニングされたイメージはモニターに１８０゜回転されて上下が入れ替わったまま表示される。したがって，右側ページを正常に表示するために，使用者は右側ページに対して所定のイメージ処理機能を使用して１８０゜回転させなければならない。これはユーザにとって時間の無駄であり，不便である。
【０００５】
従来の画像形成装置は，特許文献１に記載されている。しかし，特許文献１の画像形成装置は，画像が記録された多くの用紙を読む場合，通常の本のように順調に読み取るという内容は含んでいるが，上下が入れ替わったイメージに対する解決策は提示していない。
【０００６】
【特許文献１】米国特許第６，２４３，５４９号明細書
【特許文献２】特開平０５−３００３６０号公報
【特許文献３】特開２０００−１６５６１６号公報
【特許文献４】特開昭６２−１５２２６３号公報
【特許文献５】特開平０６−０８６０５０号公報
【発明の開示】
【発明が解決しようとする課題】
【０００７】
したがって，従来は，画像を容易に正しく印刷し，見ることができ，保存することができるように，スキャンニングされた画像を正しく一貫した方向にディスプレイ及び／または保存することができないという問題があった。
【０００８】
そこで，本発明はこのような問題に鑑みてなされたもので，その目的とするところは，本を回転（例えば，１８０゜）してスキャンを行う場合，スキャニングされた画像の上下が入れ替わらない画像形成方法，画像形成装置およびホストコンピュータを提供することにある。
【課題を解決するための手段】
【０００９】
上記課題を解決するために，本発明のある観点によれば，スキャン機能を有する画像形成装置と画像形成装置に接続されたホストコンピュータとによりなる画像形成方法において，ホストコンピュータが画像形成装置からスキャニングされたイメージデータを入力されて保存する保存段階と，ホストコンピュータの制御部でスキャニングされたイメージが左側ページなのか右側ページなのかを判断する判断段階と，スキャニングされたイメージが右側ページである場合，スキャニングされたイメージを１８０゜回転させて保存する回転段階とを含む画像形成方法が提供される。
【００１０】
上記課題を解決するために，本発明のある観点によれば，スキャン機能を有する画像形成装置と画像形成装置に接続されたホストコンピュータとによりなる画像形成方法において，画像形成装置がイメージをスキャニングして保存する保存段階と，画像形成装置の制御部でスキャニングされたイメージが左側ページなのか右側ページなのかを判断する判断段階と，スキャニングされたイメージが右側ページである場合，スキャニングされたイメージを回転（例えば，１８０゜）させて保存する回転段階とを含む画像形成方法が提供される。
【００１１】
上記課題を解決するために，本発明のある観点によれば，スキャン機能を有する画像形成装置に接続されたホストコンピュータにおいて，画像形成装置からスキャニングされたイメージデータを入力するスキャナー駆動部と，入力されたスキャニングされたイメージデータを保存するメモリー部と，スキャニングされたイメージが左側ページなのか右側ページなのかを判断し，スキャニングされたイメージが右側ページである場合，スキャニングされたイメージを回転（例えば，１８０゜）させてメモリー部に保存する制御部とを含むホストコンピュータが提供される。
【００１２】
上記課題を解決するために，本発明のある観点によれば，ホストコンピュータに接続されたスキャン機能を有する画像形成装置において，イメージをスキャニングするスキャニング部と，スキャニングされたイメージデータを保存するメモリー部と，スキャニングされたイメージが左側ページなのか右側ページなのかを判断し，スキャニングされたイメージが右側ページである場合，スキャニングされたイメージを回転（例えば，１８０゜）させてメモリー部に保存する制御部とを含む画像形成装置が提供される。
【発明の効果】
【００１３】
以上説明したように，本発明によれば，本をスキャニングする時に本の上下を入れ替えながらスキャンをしなければならない機構型のフラットベッド画像形成装置において，上下が入れ替わらないスキャンイメージを得られる。したがって，使用者は，所定のイメージ処理機能を利用してスキャニングされたイメージに対して１８０゜回転させる必要がないので，時間の無駄や不便をなくしうる。
【００１４】
さらに，１ページをスキャニングした後に，自動的に次のページに対して左側ページまたは右側ページが設定されるので，使用者は素早く簡便に次のページを続けてスキャニングできる。
【００１５】
一方，本をスキャニングする間，スキャンを行う必要がないページがあったり空ページがある場合，ページ変換ボタンやキーを利用して次にスキャニングされるページを左側ページまたは右側ページに手動で再設定することができる。
【発明を実施するための最良の形態】
【００１６】
以下に添付図面を参照しながら，本発明の好適な実施の形態について詳細に説明する。なお，本明細書及び図面において，実質的に同一の機能構成を有する構成要素については，同一の符号を付することにより重複説明を省略する。
【００１７】
図３は，本発明に係る画像形成装置及びホストコンピュータを示すブロック図である。
本発明に係る画像形成装置１０は，制御部１１，スキャニング部１２，イメージセンサーインターフェース部１３，イメージセンサー１４，メモリー部１５及び使用者インターフェース部１６を含む。使用者インターフェース部１６は，ディスプレイ部１７及びパネル部１８を含む。
【００１８】
制御部１１は，設定されたプログラムによって画像形成装置１０を全般的に制御する。本発明に係る画像形成装置１０は，スキャナーまたは複合機のような装置でありうる。複合機は，スキャナー，プリンタ及び複写機の機能を有する装置である。本発明に係る制御部１１は，イメージの方向，例えばスキャニングされたイメージが左側ページなのか右側ページなのかを判断する。スキャニングされたイメージが右側ページである場合，スキャニングされたイメージを回転（例えば，１８０゜）させてメモリー部１５に保存する。従来の画像形成装置においては，例えば，スキャニングされた左側ページはホストコンピュータ２０のモニター（図示せず）に正常に表示されるが，スキャニングされた右側ページはモニターに上下が入れ替わって回転されて表示される。
【００１９】
メモリー部１５は，スキャニングされたイメージデータを保存する。また制御部１１の動作プログラム及び一般的な制御プログラムを保存して制御部１１のプログラム実行によるデータを保存する。
【００２０】
イメージセンサーインターフェース部１３は，イメージセンサー１４の信号を調整してイメージデータを獲得する。イメージデータは，制御部１１に伝送される。スキャニング部１２は，ホストコンピュータ２０からスキャン命令を受信し，メモリー部１５に保存されたイメージデータをホストコンピュータ２０に伝送する。
【００２１】
ディスプレイ部１７は，第１ＬＥＤ（例えば，図５Ａでの４１）及び第２ＬＥＤ（例えば，図５Ａでの４３）またはＬＣＤ（例えば，図５Ｂでの５０）を含む。第１ＬＥＤ４１は，書籍スキャンモードの適用の可否を示す。例えば，第１ＬＥＤ４１がターンオンされた場合には書籍スキャンモードが適用され，ターンオフされた場合には書籍スキャンモードが適用されない。第２ＬＥＤ４３は，次にスキャニングされるページが左側ページなのか右側ページなのかを示す。例えば，第２ＬＥＤ４３がターンオンされた場合には左側ページで，ターンオフされた場合には右側ページである。図５Ｂに図示されたＬＣＤは，第１及び第２ＬＥＤの機能を行える。
【００２２】
パネル部１８は，図５Ａに図示されたキー（例えば，４２，４４）または図５Ｂに図示されたキー（例えば，５２，５４）を含む。キー４２，５２を利用して，書籍スキャンモードの適用可否を決定しうる。書籍スキャンモードを適用する場合にだけ，制御部１１は右側ページに対して１８０゜回転させて保存する。一方，キー４４，５４を利用して，開始ページが左側ページなのか右側ページなのかを示すように設定しうる。また，キー４４，５４を利用して，次にスキャニングされるページが左側ページなのか右側ページなのかを示すように再設定しうる。例えば，次のページがスキャンを行う必要がないページであるか空ページがある場合にページの再設定が必要である。
【００２３】
図３を再び参照すれば，画像形成装置１０に接続されたホストコンピュータ２０が図示される。ホストコンピュータ２０は，制御部２１，スキャナー駆動部２２，メモリー部２５及び使用者インターフェース部２６を含む。使用者インターフェース部２６は，ディスプレイ部２７及びボタン部２８を含む。
【００２４】
スキャナー駆動部２２は，画像形成装置のスキャニング部１２からスキャニングされたイメージデータを入力する。メモリー部２５は，前記入力されたスキャニングされたイメージデータを保存する。制御部２１は，スキャニングされたイメージが左側ページなのか右側ページなのかを判断し，スキャニングされたイメージが右側ページである場合，スキャニングされたイメージを１８０゜回転させてメモリー部に保存する。
【００２５】
図４を参照して，使用者インターフェース部２６を以下に詳細に説明する。図４は，ホストコンピュータで書籍スキャンモードを示す例示的な対話ボックス３０である。対話ボックス３０は，書籍スキャンモードの適用可否を設定するための適用ボタン３２及び非適用ボタン３４を含む。ここで，書籍スキャンモードを適用する場合のみ，制御部２１は右側ページに対して１８０゜回転させて保存する。
【００２６】
また，対話ボックス３０は，ページ変換ボタン３６を含み，ページ変換ボタン３６を利用して，開始ページが左側ページなのか右側ページなのかを設定しうる。また，次にスキャニングされるページが左側ページなのか右側ページなのか再設定しうる。例えば，次のページがスキャンを行う必要がないページであるか空ページがある場合，ページの再設定が必要でありうる。
【００２７】
対話ボックス３０は，次にスキャニングされるページが左側ページなのか右側ページなのかを表示するディスプレイ部３８をさらに含む。したがって，使用者は，前記ディスプレイ部３８に表示された次にスキャニングされるページを参照し，必要な場合に次にスキャニングされるページを再設定しうる。
【００２８】
図６は本発明の一実施形態に係る画像形成方法を示す流れ図であり，図７は本発明の他の形態に係る画像形成方法を示す流れ図である。
【００２９】
次に，図６及び図７を参照して本発明に係る画像形成方法を説明する。図６に示した画像形成方法は，ホストコンピュータの制御部（例えば，図３での２１）で右側ページに対するイメージを１８０゜回転させてメモリー部（例えば，図３での２５）に保存する。一方，図７に図示された画像形成方法は，画像形成装置の制御部（例えば，図３での１１）で右側ページに対するイメージを１８０゜回転させてメモリー部（例えば，図３での１５）に保存した後，ホストコンピュータに伝送する。
【００３０】
まず，図６を参照して本発明に係る画像形成方法を説明する。ホストコンピュータの制御部（例えば，図３での２１）で書籍スキャンモードの適用可否を判断する（Ｓ６０）。書籍スキャンモードを適用しない場合，次の段階を行わずに処理を終了する。書籍スキャンモードを適用する場合，段階Ｓ６２に進行する。段階Ｓ６２でホストコンピュータのボタン部（例えば，図３での２８）を利用して開始ページが左側ページなのか右側ページなのかを設定する。
【００３１】
その次に，スキャニングされるページを左側ページまたは右側ページに再設定するかの可否を判断する（Ｓ６４）。例えば，次のページがスキャンを行う必要がないページであるか空ページである場合，ページの再設定が必要である。再設定が必要な場合，段階Ｓ６６に進行し，ページを再設定した後，段階Ｓ６８に進行する。段階Ｓ６４で再設定が必要ない場合，段階Ｓ６８に進行する。画像形成装置でスキャニングを行った後，スキャニングされたイメージデータをホストコンピュータに伝送する（Ｓ６８）。ホストコンピュータには，画像形成装置からスキャニングされたイメージデータが入力されてメモリー部（例えば，図３での２５）に保存される。
【００３２】
その次に，スキャニングされたイメージが左側ページなのか右側ページなのかを判断する（Ｓ７０）。左側ページである場合は段階Ｓ７４に進行し，右側ページである場合は段階Ｓ７２に進行する。段階Ｓ７２で，スキャニングされたイメージを１８０゜回転させて保存する。したがって，続けて見る場合は，右側ページに対しても上下が入れ替わらない正常イメージを得られる。
【００３３】
その次に，ホストコンピュータの制御部（２１，図３）は，現在スキャニングされたページに基づいて次にスキャニングされるページを左側ページまたは右側ページに自動設定する（Ｓ７４）。例えば，現在スキャニングされたページが左側ページである場合，次にスキャニングされるページは右側ページに設定する。このように，イメージを生成した後に，次にスキャニングされるページが自動的に設定されるので，使用者にとって，素早く簡便に次のスキャンが行われる。
【００３４】
次に，本を続けてスキャニングするかを判断する（Ｓ７６）。続けてスキャニングする場合は段階Ｓ６４に進行し，続けてスキャニングしない場合は処理を終了する。
【００３５】
次に，図７を参照して，本発明の他の一実施形態に係る画像形成方法をより詳細に説明する。画像形成装置の制御部（例えば，図３での１１）で書籍スキャンモードの適用可否を判断する（Ｓ８０）。書籍スキャンモードを適用しない場合，次の段階を行わずに処理を終了する。書籍スキャンモードを適用する場合，段階Ｓ８２に進行する。段階Ｓ８２で画像形成装置のパネル部（例えば，図３での１８）を利用して開始ページが左側ページなのか右側ページなのかを設定する。
【００３６】
次に，スキャニングされるページを左側ページまたは右側ページに再設定するかの可否を判断する（Ｓ８４）。例えば，次のページがスキャンを行う必要がないページであるか空ページである場合，ページの再設定が必要である。再設定が必要な場合は段階Ｓ８６に進行し，ページを再設定した後，段階Ｓ８８に進行する。段階Ｓ８４で再設定が必要でない場合，段階Ｓ８８に進行する。段階Ｓ８８において，画像形成装置でスキャニングを行う。
【００３７】
次に，画像形成装置の制御部（例えば，図３での１１）は，スキャニングされたイメージが左側ページなのか右側ページなのかを判断する（Ｓ９０）。左側ページである場合は段階Ｓ９４に進行し，右側ページである場合は段階Ｓ９２に進行する。段階Ｓ９２で，前記スキャニングされたイメージを１８０゜回転させて保存する。したがって，続けて見る場合，右側ページに対しても上下が入れ替わらない正常イメージを得られる。段階９４で，保存されたイメージデータをホストコンピュータに伝送する。
【００３８】
次に，画像形成装置の制御部１１（図３）は，現在スキャニングされたページに基づいて次にスキャニングされるページを左側ページまたは右側ページに自動設定する（Ｓ９６）。例えば，現在スキャニングされたページが左側ページである場合，次にスキャニングされるページは右側ページに設定する。このように，イメージを生成した後に，次にスキャニングされるページが自動的に設定されるので，使用者は素早く簡便に次のスキャンを行うことができる。
【００３９】
次に，本を続けてスキャニングするかを判断する（Ｓ９８）。続けてスキャニングする場合は段階Ｓ８４に進行し，続けてスキャニングしない場合は処理を終了する。
【００４０】
図７に図示された画像形成方法において，スキャニングしたイメージを画像形成装置のメモリー１５（図３）に保存した後，右側ページに対して１８０゜回転して再びメモリーに保存している。代案として，スキャニングしたイメージを画像形成装置のメモリー１５（図３）に保存する前に，右側ページなのかを判断し，右側ページである場合，スキャニングしたイメージを画像形成装置のメモリーに逆に保存しうる。このような場合にも同様の結果を得ることができる。
【００４１】
以上，添付図面を参照しながら本発明の好適な実施形態について説明したが，本発明は係る例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【産業上の利用可能性】
【００４２】
本発明は，スキャナーまたはスキャン機能を有する複合機のような画像形成装置，及びスキャン機能を有する画像形成装置に接続されたホストコンピュータに適用できる。
【図面の簡単な説明】
【００４３】
【図１】従来の画像形成装置の概略図である。
【図２】従来の画像形成装置で本をスキャニングする概略図である。
【図３】本発明の実施形態に係る画像形成装置及びホストコンピュータを示すブロック図である。
【図４】同実施の形態に係るホストコンピュータで書籍スキャンモードを示す画面である。
【図５Ａ】同実施の形態にかかる画像形成装置のＬＥＤ及びキーを示す図面である。
【図５Ｂ】同実施の形態にかかる画像形成装置のＬＣＤ及びキーを示す図面である。
【図６】本発明の実施形態にかかる画像形成方法を示す流れ図である。
【図７】本発明の他の形態にかかる画像形成方法を示す流れ図である。
【符号の説明】
【００４４】
１０      画像形成装置
１１      制御部
１２      スキャニング部
１３      イメージセンサーインターフェース部
１４      イメージセンサー
１５      メモリー部
１６      使用者インターフェース部
１７      ディスプレイ部
１８      パネル部
２０      ホストコンピュータ
【図１】
2005117666.tif 000003
【図２】
2005117666.tif 000004
【図３】
2005117666.tif 000005
【図４】
2005117666.tif 000006
【図５Ａ】
2005117666.tif 000007
【図５Ｂ】
2005117666.tif 000008
【図６】
2005117666.tif 000009
【図７】
2005117666.tif 000010